(57)【特許請求の範囲】
【請求項１】
警備領域の警備モードを警戒状態又は解除状態に切換えるセット／解除切換え部と、
前記警備領域内に配置した検知器から検知信号を受ける検知信号入力部と、
前記警備領域内に配置した検知器のうち、他の検知器よりもセキュリティ性の高い領域に配置された特定検知器から、前記セット／解除切換え部により警戒状態から解除状態に切換えられてから第一の所定時間が経過する前に出力された検知信号である特定検知信号を受ける特定検知信号入力部と、
遠隔の監視センタに非常通報又は異常通報をする通信部と、
前記特定検知信号を受けると前記通信部から前記監視センタへ非常通報を行い、前記警備モードが警戒状態にセットされている間に前記検知信号を受けると前記通信部から前記監視センタに異常通報を行う制御部と、
を具備することを特徴とする警報装置。
【請求項２】
警備領域の警備モードを警戒状態又は解除状態に切換える警備モード切換え信号を受ける警備モード信号入力部と、
前記警備モード信号入力部から前記警備モードを警戒状態から解除状態に切換える信号が入力されると、所定時間の計時を開始する計時部と、
前記警備領域内に配置した検知器から検知信号を受ける検知信号入力部と、
前記警備領域内に配置した検知器のうち、他の検知器よりもセキュリティ性の高い領域に配置された特定検知器から、前記計時部の計時中に出力された検知信号である特定検知信号を受ける特定検知信号入力部と、
非常信号出力部と、
検知信号出力部と、
前記特定検知信号を受けると前記非常信号出力部から非常信号を出力し、前記警備モードが警戒状態にセットされている間に前記検知信号を受けると前記検知信号出力部から検知信号を出力する制御部と、
を具備することを特徴とする非常検出装置。
【発明の詳細な説明】
【０００１】
【発明の属する技術分野】
本発明は、事務所、銀行その他の金融機関などの監視建物に設置され、侵入者、火災、ガス漏れなどの異常状態を感知したときに遠隔にある監視センタへ通報をする警報装置に関する。
【０００２】
【従来の技術】
従来、警報装置においては、非常ボタンが押された場合、あるいは火災センサが火災を検出した場合などの非常事態には、遠隔にある監視センタへ非常信号を出力する。監視センタでは、非常信号を受信した場合は、直ちに警察又は消防へ通報するなどの必要な措置を取る。
【０００３】
一方、非常事態以外の、例えばドアセンサ又は金庫センサが異常を検知した場合は、警報装置は、警備モードがセット状態であれば、異常信号を監視センタへ出力する。監視センタでは、異常信号を受信した場合は、対処員の派遣、警察への通報などの必要な措置を取る。
このように、従来の警備システムにおいては、非常信号と異常信号とを使い分けていた。
【０００４】
更に、警報装置においては、非常押しボタンが設けられている。例えば、強盗事案のように、銀行などの営業中、店舗に入ってきて、行員を脅して金品を奪う場合がある。また、銀行などの閉店後に行員がすべて退出するのを待ち伏せし、最後に出てきた行員を脅して再度入館し金品を奪う場合がある。
【０００５】
このような強盗事案が発生すると、行員は、所定の場所に配置された非常ボタンを押し下げる操作を行う。警報装置は、非常押しボタンが押し下げられると、監視センタに非常通報をする。
また、強盗の待ち伏せに対応するため、監視建物の警備モードをセット状態に切換える操作（セット操作）を行員が行ってから所定時間経過するまでは、警戒状態の解除を禁止する警報装置がある。この警報装置においては、セット操作から所定時間内にセット状態を解除状態に切換える操作（解除操作）がされると、たとえ正規の解除操作であったとしても非常通報する。
【０００６】
なお、この警報装置においては、セット状態で解除操作なしに監視建物に人が入ると、当然に侵入異常が検知されて、監視センタに異常通報がされる。
更に、賊に襲われたときに、非常事態の発生時用の非常解除操作を行員が行うと、警戒状態を解除とすると同時に、監視センタに非常通報を行う警報装置もあった。
【０００７】
【発明が解決しようとする課題】
上記従来の警報装置は、行員が冷静に対応ができる状態を前提としている。すなわち、営業中のように強盗への対応準備ができている場合、あるいは、警報装置の警備モードをセット又は解除操作する時などの、行員が緊張している状態にあることを前提としている。
【０００８】
しかし、行員が冷静に対応できない状態又は油断している状態のときに、賊に襲われると上記の非常通報が遅れるおそれがあるという課題があった。具体的には、監視建物の警備モードを解除した直後の入館間もない時間帯、例えば行員が着替えをしている最中などの時間帯が危険であった。
【０００９】
そこで、本発明は、警備モードを解除状態にした直後に、強盗に襲われた場合には、行員が警報装置に対して何の操作をしなくても、監視センタに対して自動的に非常通報が可能な警報装置の実現を目的とする。
【００１０】
【課題を解決するための手段】
本発明は、上記課題を解決するためになされたものである。
第一の発明は、警備領域内に配置した検知器から検知信号を受ける検知信号入力部と、前記警備領域内に配置した特定検知器の検知信号から特定検知信号を受ける特定検知信号入力部と、前記警備領域の警備モードを警戒状態又は解除状態に切換えるセット／解除切換え部と、遠隔の監視センタに非常通報又は異常通報をする通信部と、前記検知信号又は前記特定検知信号を受けると、前記通信部から前記監視センタへの非常通報又は異常通報を行う制御部であって、前記セット／解除切換え部により警戒状態から解除状態に切換えられてから第一の所定時間が経過する前に前記特定検知信号を受けると、前記通信部から前記監視センタへの非常通報を行う制御部とを具備した警報装置を提供する。
【００１１】
第一の発明に係る警報装置は、警備モードのセット状態から解除状態に切換えた直後の所定時間内に、金庫室、薬品室、高額商品の保管室などのセキュリティ性を高くすべき領域に設置された特定検知器が検知をすると強盗事案の発生とみなす。これにより、非常信号を監視センタに自動通報するので、人間の操作がなくても、強盗事案を迅速に通報でき、強盗事案への対応がより早くなされる。本発明は、強盗などを行う者は、犯行を短時間に済ませようとするのが常であり、押し入ってから即座に目的物へアプローチすることを利用したものである。
【００１２】
第一の発明の好適な態様は、警備領域からの出入り経路に配置される最終検知器を接続し、セット状態となった後の第二の所定時間内に前記最終検知器が検知し、かつ解除状態となった場合も非常通報をする。これにより、セット状態への切換え直後の犯行に対しても、迅速な非常通報が可能となる。なお、第一所定時間と第二所定時間とは、同一でもよいし異なっていてもよい。警備領域の状況に応じて適宜選択される。
【００１３】
第二の発明は、警備領域内に配置した検知器から検知信号を受ける検知信号入力部と、前記警備領域内に配置した特定検知器の検知信号から特定検知信号を受ける特定検知信号入力部と、警備領域の警備モードをセット状態又は解除状態に切換える警備モード切換え信号を受ける警備モード信号入力部と、非常信号出力部と、検知信号出力部と、前記警備モード信号入力部から前記警備モードを切換える信号が入力されると、所定時間の計時を開始する計時部と、前記検知信号又は前記特定検知信号を受けると、前記非常信号出力部又は前記検知信号出力部から非常信号又は検知信号を出力する制御部であって、前記計時部の計時中に前記特定検知信号を受けると、前記非常出力部から非常信号を出力する制御部とを具備する非常検出装置を提供する。
【００１４】
第二の発明に係る非常検出装置は、非常事態と異常事態を自動判別し、通報機能を有する装置へ非常信号を出力する。これにより、通報機能を有する装置が非常事態と異常事態を判別する機能を持たないものであっても、本発明の非常検出装置を付加することにより、上記第一の発明の警報装置と同様の非常検出が可能になる。
【００１５】
第二の発明の好適な態様は、警備領域からの出入り経路に設置された最終検知器から検知信号を受ける最終検知入力部を更に設ける。警備領域の警備モードがセット状態であり、前記計時部が計時中に前記最終検知器の検知信号を受けると、非常出力部から非常出力させる。
かかる構成によれば、警戒開始直後に賊に襲われた場合であっても、何ら特別な操作をすることなく非常検出が可能となる。
【００１６】
【発明の実施の形態】
以下、図を用いて、本発明の実施形態について説明する。
図１は、本発明の警報装置及び非常検出装置を銀行に配置した状況を示す。
監視建物１には、客用出入り口２と、行員用出入り口３が設けられている。客用出入り口２にはＡＴＭ４が配置され、キャッシュコーナーを形成している。カウンタ５により仕切られた営業室６内に、金庫７が設置されている。
【００１７】
警報装置が営業室内に配置される。警報装置は、本実施形態では、自動通報装置８と押し込み検出装置９とセット／解除操作器１０により構成される。なお、自動通報装置８と押し込み検出装置９を一体化して１つの警報装置とすることもできる。
セット／解除操作器１０は押し込み検出装置９に接続される。
【００１８】
警備領域に各種センサが配置される。行員用出入り口３に最終センサ１３が配置され、金庫７に金庫センサ１４が配置され、これらは押し込み検出装置９に接続される。最終センサ１３は、行員用出入り口３の扉１５の開閉を検知する。金庫センサ１４は、金庫７の開閉操作、破壊工作などを検知するもので、本発明における特定検知器を構成する。
押し込み検出装置９は、金庫センサ１４、最終センサ１３から検知信号を受信すると、セット／解除操作器１０の操作状況に応じて、非常信号又は検知信号を自動通報装置８に出力する。
【００１９】
客用出入り口２、ＡＴＭ４、営業室６内に、それぞれ防犯センサ１６が配置され、自動通報装置８に接続される。自動通報装置８は、押し込み検出装置９から非常事態信号を受信した場合、又は自動通報装置８に設けられた非常操作部が操作された場合は、遠隔の監視センタに非常信号を送信する。また、押し込み検出装置９から検知信号を受信した場合、又は防犯センサ１６から検知信号を受信した場合は、警備モードに応じて、監視センタに異常信号を送信する。
【００２０】
図２を用いて、押し込み検出装置９の構成を説明する。
ＣＰＵにより構成される制御部２１が、装置内の以下に説明する各部を制御する。制御部２１の動作については、フローチャートを用いて後述する。
セット／解除操作器１０からの信号は、セット／解除操作器ＩＦ（ＩＦ：インターフェース）２２を介して制御部２１に入力される。金庫センサ１４及び最終センサ１３からの信号は、センサＩＦ２３を介して制御部２１に入力される。制御部２１には更に、５分タイマ２４、記憶部２５、表示部２６が接続される。
制御部２１は、非常信号を非常出力部２７から、検知信号を検知信号出力部２８から、警備モード変更信号をモード信号送受信部２９から、自動通報装置８へ出力する。
【００２１】
図３を用いて、自動通報装置８の構成を説明する。
ＣＰＵにより構成される制御部３１が、装置内の以下に説明する各部を制御する。制御部３１の動作については、フローチャートを用いて後述する。
押し込み検出装置９からの信号は、押し込み検出装置ＩＦ３２を介して制御部３１に入力される。各防犯センサからの信号は、センサＩＦ３３を介して制御部３１に入力される。制御部３１には更に、非常操作部３４、表示部３５、記憶部３６、時計部３７が接続される。非常操作部３４は、賊が侵入してきたときなどの非常時に行員が操作するものである。
【００２２】
本例では、押し込み検出装置ＩＦ３２に非常信号及び検知信号が入力されるが、センサＩＦ３３に入力させるようにしても良い。この場合、センサＩＦ３３にて、非常信号と検知信号を区別可能にすることとなる。
制御部３１は、押し込み検出装置９から非常信号を受信したとき、又は非常操作部３４が操作されたときは、通信制御部３８から遠隔の監視センタに対して非常通報を行う。また、押し込み検出装置９から又は防犯センサ１６から検知信号を受信したときは、警備モードに応じて、監視センタに対して異常通報を行う。
【００２３】
ここで、警報装置の概略の動作を説明する。
営業を終了して最後に退出する行員は、セット／解除操作器１０を操作して警備モードをセット状態にした後、所定時間内に行員用出入り口３から出る。この所定時間内（退館ディレイ中）は、センサが行員を検知したとしても、警報装置から監視センタへ異常通報はされない。退館ディレイ経過後は、センサにより異常が検知されると、監視センタへ非常通報又は異常通報がされる。
【００２４】
次に、営業を開始するために最初に出社した行員は、行員用出入り口３から建物内に入り、セット／解除操作器１０を操作して警備モードを解除状態にする。セット／解除操作器１０の切換え前には、建物内は警備モードがセット状態となっているが、最終センサ１３が検知をした後、所定時間内（入館ディレイ中）に解除状態に切換えれば、警報装置は、監視センタへの通報は行わない。
退館ディレイ及び入館ディレイは、上記のようにして退館及び入館の都度、監視センタに無駄な通報がされることを防いでいる。一方、退館及び入館ディレイ中に賊が警備領域内に侵入した場合は、これを検知できないという問題を生じる。
【００２５】
これに対し、本実施形態では、セキュリティ性を高くすべき金庫センサ１４が異常を検知をすると、警備モードがセット状態から解除状態へ切換えられた後の第一の所定時間内であれば、押し込み検出装置９は、非常信号を自動通報装置８に出力する。なお、その他の状態では検知信号を出力する。自動通報装置８は、非常信号を受信した場合は、直ちに監視センタに非常信号を送信する。
賊は、行員の入館直後に建物内に侵入した場合、目的の金庫に直行をして金庫を開けようとする。したがって、警備モードを解除状態に切換えた後の第一の所定時間内に金庫センサが検知をするので、本実施形態により、解除状態になっていても、非常信号を自動的に監視センタに送信することができる。
【００２６】
また、最終センサ１３が検知をすると、警備モードが解除状態からセット状態へ切換えられた後、第二の所定時間内であれば、押し込み検出装置９は、非常信号を自動通報装置８に出力する。その他の場合は、検知信号を出力する。自動通報装置８は、非常信号を受信した場合は、直ちに監視センタに非常信号を送信する。
これにより、行員が退館した直後に、賊が扉１５を開けて行員用出入り口３から侵入した場合に、解除状態であっても、非常信号を監視センタに送信することができる。
【００２７】
以下、上記の警備装置の動作の詳細を説明する。
図４〜図６を用いて、押し込み検出装置９の動作を説明する。図４〜図７の動作は、所定時間ごとに実行される。
図４は、押し込み検出装置９の全体フローを示す。
ステップＳ１で、セット／解除操作器１０から警備モードを変更する信号が入力されたか否かが判定される。ここで「はい」であれば、ステップＳ２で、モード信号送受信部２９からモード変更操作があったことを示す信号を自動通報装置８に出力する。その後、自動通報装置８から警備モードの移行結果となるモード信号を受信すると、変更後の警備モードを記憶、又はモード移行ＮＧの旨を表示部２６に表示する。更に、５分タイマ２４を起動する。５分タイマ２４は、５分経過すると、自動的にカウンタを停止する。また、現在の警備モードを表示部２６に表示し、ステップＳ３へ進む。
【００２８】
ステップＳ１で「いいえ」の場合もステップＳ３へ進む。ステップＳ３では、金庫センサ１４の検出信号を処理する。続いて、ステップＳ４では、最終センサ１０の検出信号を処理する。ステップＳ３、４の詳細について以下に説明する。
【００２９】
図５は、図４のステップＳ３の金庫センサ１４の検知信号処理の詳細を示す。
ステップＳ１１で、金庫センサ１４から検知信号が入力されたか否かを判定する。検知されていればステップＳ１２に進み、検知されていなければ図５の処理を抜ける。
ステップＳ１２で、警備モードがセット状態であるか否かが判定される。ここでセット状態であれば、ステップＳ１４で非常信号を出力して図５の処理を抜ける。
【００３０】
ステップＳ１２でセット状態でなければ、ステップＳ１３で、５分タイマ２４が計時中であるか否かが判定される。ここで、計時中であれば、ステップＳ１４で非常信号を出力し、計時中でなければ、ステップＳ１５で検知信号を出力する。
以上の図５の処理により、警備モードがセット状態で金庫センサ１４が検知をしたときと、警備モードが解除状態に切換えられた後、５分（第一の所定時間）以内に金庫センサ１４が検知をしたのであれば、非常信号が自動通報装置８へ送信され、それ以外の状態で金庫センサ１４が検知をしたときは検知信号を出力する。
【００３１】
図６は、図４のステップＳ４の最終センサ１３の検知信号処理の詳細を示す。
ステップＳ２１で、フラグがオンであるか否かが判定される。オンであればステップＳ２４へ進み、オフであればステップＳ２２へ進む。
ステップＳ２２で、最終センサ１４から検知信号が入力されたか否かを判定し、ステップＳ２３で、警備モードがセット状態であるか否かが判定される。ステップＳ２２、２３で「いいえ」であれば図６の処理を抜け、「はい」でなければステップＳ２４へ進む。
【００３２】
ステップＳ２４で、５分タイマ２４が計時中であるか否かが判定される。ここで、計時中でなければ、ステップＳ２５で検知信号を出力する。
計時中であれば、ステップＳ２６で、警備モードが解除状態であるか否かが判定される。ここで、解除状態であれば、ステップＳ２７でフラグをオフし、ステップＳ２８で非常信号を出力する。
【００３３】
ステップＳ２６で解除状態でなければ、ステップＳ２９で、フラグをオンとし、図６の処理から抜ける。
以上の図６の処理により、警備モードがセット状態で最終センサ１３が検知をすると、検知信号を自動通報装置８に送信する。ただし、５分タイマ２４が計時中（第二の所定時間内）に警備モードが解除状態になれば、非常信号を送信する。
【００３４】
なお、以上説明した例では、図５及び図６のいずれにおいても、第一の所定時間及び第二の所定時間として５分タイマ２４を使用している。これに対して、第一の所定時間と第二の所定時間として異なる時間を設定することもできる。この場合は、図２のタイマとして２個設けられることになる。
【００３５】
図７は、自動通報装置８におけるモード変更入力処理を示す。
ステップＳ３１で、セット／解除操作器１０における警備モード変更の操作がされたか否かが判定される。ここで警備モードの変更がなければこの処理を終了する。なお、警備モード変更の操作は、押し込み検出装置９からのモード変更出力を押し込み検出装置ＩＦ３２から受けることをもって操作がされたか否か判断する。
【００３６】
変更があれば、ステップＳ３２で、変更が解除状態からセット状態への変更であるか否かが判定される。すなわち、記憶部３６にて記憶している警備モードが解除状態のときにモード変更出力を受けると、セット状態への変更と判断する。ここで、「いいえ」（セット状態から解除状態）であれば、ステップＳ３５で変更後の警備モードとなる解除状態を記憶部３６に記憶し、通信制御部３８から監視センタへ警備モードを送信する。
【００３７】
ステップＳ３２で、解除状態からセット状態への変更だと判定されると、ステップＳ３３で、各種センサから検知信号を受信していないか否かが判定される。ここで、「いいえ」（検知入力あり）であれば、ステップＳ３６で、セット状態への移行ができない旨を押し込み検出装置ＩＦ３２から押し込み検出装置９へ通知する。この通知をモード信号送受信部２９にて受信した押し込み検出装置９は、記憶したモードを前のモードに戻すと共に、その旨の表示を表示部２６にする。操作をした行員は、この表示がされた場合は警備領域内を確認し、戸締りなどを確実にして、検知信号が出されている原因を取り除く。また、行員は再度セット／解除操作器１０の操作を行う。
【００３８】
ステップＳ３３で、検知入力がなければ、ステップＳ３４へ進み退館ディレイを起動し、ステップＳ３５へ進む。ここで、退館ディレイとは、行員がセット／解除操作器１０にて警戒セット操作をしてから最終出入り口となる行員用出入り口３を通って監視建物１から退館するに十分な時間をいい、この間に最終センサ１３が検知しても異常と判定しないようにするための時間である。
【００３９】
図８及び図９を用いて、自動通報装置８の動作を説明する。図８、図９の処理は、押し込み検出装置ＩＦ３２から入力される非常信号及び検知信号の処理であり、所定時間ごとに実行される。なお、他の防犯センサ１６や非常操作部３４などからの入力処理は、簡単化のため説明を省略する。
図示の処理は、従来における警報装置の処理と基本的に異なる点はない。したがって、既に警備領域に警報装置が配置されている場合は、自動通報装置８と押し込み検出装置９との警備モードを一致させることができれば、その警報装置を自動通報装置８として使用することができる。なお、新たに警報装置を配置する場合は、押し込み検出装置９と自動通報装置８を一体化したものを使用することができる。
【００４０】
ステップＳ５１で、押し込み検出装置ＩＦ３２から非常信号が入力されているか否かが判定される。ここで、非常信号が入力されていれば、ステップＳ５２で未通報か否かが判定される。未通報であれば、ステップＳ５３で、非常通報が通信制御部３８から監視センタに対して送信され、ステップＳ５４へ進む。ステップＳ５１、５２で「いいえ」であれば、ステップＳ５４へ進む。
【００４１】
ステップＳ５４で、警備モードがセット状態であるか否かが判定される。ここでセット状態であれば、ステップＳ５５で、検知信号が入力されているか否かが判定される。ここでの検知信号とは、押し込み検出装置９から送信されたものと、防犯センサ１６から入力されたものの両方を含む。ここで検知信号が入力されていなければ、ステップＳ５６で退館ディレイ中であるか否かが判定される。ここで退館ディレイ中であれば、この処理を終了する。
【００４２】
ステップＳ５６で退館ディレイ中でない場合は、ステップＳ５７で入館ディレイ中であるか否かが判定される。入館ディレイ中であれば、ステップＳ６０へ進む。入館ディレイ中でなければ、ステップＳ５８で異常状態を記憶部３６に記憶し、ステップＳ５９で、入館ディレイを起動し、ステップＳ６０へ進む。
ステップＳ６０で、入館ディレイが終了したか否かが判定される。終了をしていなければ、この処理を終了する。終了をしていれば、ステップＳ６１で、異常通報が、通信制御部３８から監視センタに対して送信される。
【００４３】
ステップＳ５４で、解除状態であると判定されると、ステップＳ６２で、入館ディレイ中であるか否かが判定される。ここで、入館ディレイ中でなければこの処理を終了する。入館ディレイ中であれば、ステップＳ６３で、入館ディレイを中止し、記憶部３６に記憶した異常状態の記憶をクリアする。
以上説明した処理により、自動通報装置８は、非常信号があればこれを直ちに監視センタに送信し、検知信号があれば、警備モードがセット状態で入館ディレイが終了していれば、異常通報を送信する。
【００４４】
【発明の効果】
本発明によれば、警備モードを解除状態に切換えた直後、強盗に襲われた場合には、行員が警報装置に対して何の操作をしなくても、監視センタに対して自動的に非常通報が可能となる。
【図面の簡単な説明】
【図１】本発明の警報装置及び非常検出装置の配置状況を示す図である。
【図２】図１の押し込み検出装置の回路構成を示す図である。
【図３】図１の自動通報装置の回路構成を示す図である。
【図４】図２の押し込み検出装置の全体動作を示すフローチャートである。
【図５】図４における金庫センサからの検知信号の処理を示すフローチャートである。
【図６】図４における最終センサからの検知信号の処理を示すフローチャートである。
【図７】図３の自動通報装置におけるモード変更入力処理を示すフローチャートである。
【図８】図３の自動通報装置の動作を示すフローチャート（その１）である。
【図９】図３の自動通報装置の動作を示すフローチャート（その２）である。
【符号の説明】
１…監視建物
２…客用出入り口
３…行員用出入り口
４…ＡＴＭ
５…カウンタ
６…営業室
７…金庫
８…自動通報装置
９…押し込み検出装置
１０…セット／解除操作器
１３…最終センサ
１４…金庫センサ
１５…扉
１６…防犯センサ
２１…制御部
２２…セット／解除操作器ＩＦ
２３…センサＩＦ
２４…５分タイマ
２５…記憶部
２６…表示部
２７…非常出力部
２８…検知信号出力部
２９…モード信号送受信部
３１…制御部
３２…押し込み検出装置ＩＦ
３３…センサＩＦ
３４…非常操作部
３５…表示部
３６…記憶部
３７…時計部
３８…通信制御部
【図１】
0004740497.tif 000002
【図２】
0004740497.tif 000003
【図３】
0004740497.tif 000004
【図４】
0004740497.tif 000005
【図５】
0004740497.tif 000006
【図６】
0004740497.tif 000007
【図７】
0004740497.tif 000008
【図８】
0004740497.tif 000009
【図９】
0004740497.tif 000010